(57)【要約】【課題】使用者が複数の画像から容易に所望の画像を検索できるカメラ装置を提供する。【解決手段】この発明のカメラ装置１は、画像ファイルを保持する記録部１２２，１２３，１０９に保持されている画像を表示する表示部２２に、複数の縮小画像を表示させるものであって、縮小画像中に動画が含まれている場合に，その動画の再生が選択された場合に、縮小画像のままで動画表示させる画像表示制御部１０４，１０９，１１１を有する。これにより、複数の縮小画像に動画が含まれる場合に、その動画を縮小状態のままで連続して再生することができる。【選択図】  図５
2006287596.tif 000002
【特許請求の範囲】
【請求項１】
縮小画像などを用いて複数の画像を表示し、所望とする任意の画像を選択可能なカメラ装置において、
前記複数画像を表示中に、動画が含まれる場合、その動画を縮小状態のままで連続して再生する機能を有するカメラ装置。
【請求項２】
前記カメラ装置は、
前記複数画像を表示中に、動画に対応する縮小画像に選択カーソルが重ね合わせられた場合、もしくは前記選択カーソルが所定時間重ね合わせられた状態が継続された場合に、その縮小画像に対応する動画を表示することを特徴とする請求項１記載のカメラ装置。
【請求項３】
前記カメラ装置は、
画像ファイルを保持する記録部と、
前記記録部に保持されている前記画像ファイルの動画が表示される表示部と、
前記表示部に、前記動画を含む複数の縮小画像を表示させる画像表示制御と、
をさらに有することを特徴とする請求項１または２記載のカメラ装置。
【請求項４】
前記画像表示制御部は、要求のある毎に、前記選択された動画に対する複数の縮小画像を用意し、前記表示部に順に転送することを特徴とする請求項３記載のカメラ装置。
【請求項５】
記録すべき情報を取り込むレンズと、
このレンズにより取り込まれた情報に対応する動画の画像ファイルを生成する画像信号生成部と、
前記画像ファイルを保持する記録部と、
前記記録部に保持されている前記画像ファイルの任意の画像を表示する表示部と、
前記表示部に、複数の縮小画像を表示させる画像表示制御部と、
前記表示部に複数表示された前記縮小画像中に動画が含まれている場合に，その動画の再生が選択された場合に、縮小画像のままで動画表示させる画像表示制御部と、
を有することを特徴とするカメラ装置。
【請求項６】
前記カメラ装置は、
前記複数画像を表示中に、動画に対応する縮小画像に選択カーソルが重ね合わせられた場合、もしくは前記選択カーソルが所定時間重ね合わせられた状態が継続された場合に、その縮小画像に対応する動画を表示することを特徴とする請求項５記載のカメラ装置。
【請求項７】
画像保持部から出力され、圧縮状態の再生ストリーミング信号をマップ上に転送し、
転送された再生ストリーミング信号をデコードし、ＹＵＶ信号に変換して、マップ上にＹＵＶ信号として転送し、
ＹＵＶ信号から、連続性のある複数の縮小画像を生成してマップ上に格納し、
再生要求に応じて、マップ上に用意された連続性のある複数の縮小画像を、順に、表示部に転送する
ことを特徴とする画像処理方法。
【発明の詳細な説明】
【技術分野】
【０００１】
この発明は、カメラ装置において撮像された静止画や動画を再生する際に、縮小画像等を用いて複数画像を表示し、所望とする画像を、静止画および動画に関わりなく選択可能としたカメラ装置に関する。
【背景技術】
【０００２】
カメラ装置、特に従来のようにフィルムを用いることのない電子カメラ装置は、半導体メモリ（メモリカード）やハードディスク装置等の記録媒体に、静止画や動画を記録可能である。
【０００３】
撮像済み画像は、ユーザによるカメラ装置の操作により、例えばカメラ装置に一体的に設けられている液晶表示部や、ビデオ信号を表示可能な表示装置すなわちパーソナルコンピュータで利用される表示装置あるいは一般的なテレビ受像機等に表示（再生）される。
【０００４】
近年、半導体メモリやハードディスク装置等の記録媒体の容量が増大され、そのコストも低下されていることにより、多くの枚数の記録画像（静止画）や、長時間、かつ多くのタイトルの動画が記録（保存）可能である。
【０００５】
このため、再生時においては、記録済み画像（静止画）およびタイトル（動画）のそれぞれに対応する縮小画像を生成して、複数画像を一覧して表示させ、ユーザが再生しようとする画像を容易に選択可能とすることが既に提案されている。
【０００６】
なお、特許文献１には、縮小画面により複数画像を表示する際に静止画の連写モードで撮影された画像が含まれる場合に、連写モードで撮影された画像が表示される表示領域をさらに分割して複数画像を表示させ、連写モードで撮影された画像であることを表示することが提案されている。
【特許文献１】特開２００２−１１２０７９号公報
【発明の開示】
【発明が解決しようとする課題】
【０００７】
しかしながら、特許文献１には、縮小画像等により表示された複数画像から所望とする画像を選択することは可能であるが、動画については、その画像を選択し、一連の画像を通常の再生モードで表示しなければならない。
【０００８】
すなわち、縮小画面等により表示される複数画像中から選択した画像が動画である場合には、一旦通常の再生モードによる再生が必要であり、検索性が損なわれる問題がある。なお、縮小画像においても動画を再生可能なカメラ装置は、現在のところ実用化されていない。
【０００９】
本発明の目的は、使用者が複数の画像から容易に所望の画像を検索できるカメラ装置を提供することである。
【課題を解決するための手段】
【００１０】
この発明は、上記問題点に基づきなされたもので、縮小画像などを用いて複数の画像を表示し、所望とする任意の画像を選択可能なカメラ装置において、前記複数画像を表示中に、動画が含まれる場合、その動画を縮小状態のままで連続して再生する機能を有するカメラ装置、を提供するものである。
【発明の効果】
【００１１】
本発明によれば、複数の画像を表示している状態において、その表示画像の中に動画、あるいは動画に準じた連続した複数の画像からなる連写画像が含まれる場合、複数の画像を表示した状態のままで、動画もしくは連写画像を再生することができる。
【００１２】
また、表示されている動画や連写画像を全て再生せず、選択カーソルのある画像のみを再生することが可能である。
【００１３】
これにより、特定の１画面を選択して、その画像ファイルを再生する工程が除去され、検索性が向上する。
【００１４】
なお、縮小画像から動画を再生するために、特別な構成は要求されず、シンプルな方法であり、コストが増大されることもない。
【発明を実施するための最良の形態】
【００１５】
以下、図面を参照して、この発明の実施の形態について詳細に説明する。
【００１６】
図１（ａ）および図１（ｂ）は、本発明が適用可能な動画および静止画ならびに音声等が記録可能なカメラ装置の概略を示す。
【００１７】
図１（ａ）は、カメラ装置（撮影装置）１を撮影レンズ側から見た状態を示す。
【００１８】
カメラ装置１は、撮像レンズ１１、フラッシュ１２、（静止画撮影用）シャッターボタン１３およびリモコン受信部１４等を有する。カメラ装置１はまた、パーソナルコンピュータや、外部電源装置（充電器）等との接続に利用されるアダプタ接続部（接続端子）１５を有する。
【００１９】
図１（ｂ）は、カメラ装置１を、撮像レンズ１１と逆の側から見た状態を示す。
【００２０】
カメラ装置１はまた、主電源スイッチを兼ねるフレーム２１に一体に組み込まれた液晶モニタ（ＬＣＤパネル）２２およびスピーカ２３を有する。電子カメラ装置１はさらに、フレーム２１が閉じられる（電子カメラ装置本体の所定の位置に収容される）位置でオフされる所定の位置に、主電源スイッチ２４を有する。
【００２１】
また、電子カメラ装置１の所定の位置には、動画の記録（録画）の開始および停止（終了）の指示（制御コマンド）を入力可能な録画ボタン２５、動作モードやさまざまな条件の入力および決定の指示を選択する指示（制御コマンド）を入力可能なジョグ（ＪＯＧ）ダイアル２６、ジョグダイアル２６により選択（ガイド）される指示を確定（実行）するための指示（制御コマンド）を入力可能な決定（ＯＫ）ボタン２７、撮像レンズ１１により取り込まれる画像の画角（撮影対象を撮像する角度）を変更するズーム動作のための制御信号を入力可能なズームバー２８、メニュー画面を表示させるための制御コマンドの入力に利用されるメニューボタン２９等が設けられている。
【００２２】
図２は、図１に概要を示したカメラ装置の制御系の一例を示す。
【００２３】
撮像レンズ１１から取り込まれた被写体像は、例えばＣＣＤセンサである撮像素子３１の結像面に結像され、アナログ信号（撮像画像データ）に変換される。被写体像は、撮像素子（ＣＣＤセンサ）３１により、光の明暗に基づいて電気信号に変換され、アナログ−デジタル（Ａ／Ｄ）変換部１０１によりデジタル信号に変換され、カメラ信号処理回路１０２に入力される。
【００２４】
カメラ信号処理回路１０２では、Ａ／Ｄ変換部１０１によりデジタル信号に変換された撮像画像データに、例えばガンマ補正、色信号分離、あるいはホワイトバランス調整等の処理が施される。
【００２５】
カメラ信号処理回路１０２から出力された撮像画像データは、メモリコントローラ１０３を経由して画像表示処理部１０４に供給される。画像表示処理部１０４は、ビデオインタフェース（Video I/F）／ＯＳＤ（On Screen Display）処理部１０５およびビデオデコーダ（Video Decoder）１０６等を含み、表示出力のための画像信号すなわちビデオ信号を生成する。
【００２６】
ビデオデコーダ１０６の出力は、液晶パネル駆動回路（LCD Driver）１０７に入力され、液晶パネル駆動回路１０７により、フレーム２１にマウントされているＬＣＤパネル（以下単にＬＣＤと呼称する）２２（図１（ｂ）参照）に、表示される。
【００２７】
カメラ信号処理回路１０２から出力された撮像画像データは、記録時においては、圧縮／伸長部１０８で圧縮され、主制御装置（ＣＰＵ）１１１の制御の下で、記録メディアコントローラ１２１を経由して、主記録媒体、例えばハードディスク装置（以下ＨＤＤと略称する）１２２、あるいは付随する取り出し可能な記録媒体、例えば不揮発性メモリであるメモリカード１２３に記録される。なお、圧縮／伸長部１０８においては、静止画は、例えばＪＰＥＧ規格等の、動画（非静止画）は、ＭＰＥＧ規格等の、周知の圧縮方式により圧縮される。また、メモリカード１２３は、例えばＳＤカード（登録商標）や、mini−ＳＤ（登録商標）と呼ばれる半導体メモリが利用可能である。もちろん、ＨＤＤ１２２に換えて、例えば光ディスクが用いられてもよいことはいうまでもない。
【００２８】
ＨＤＤ１２２またはメモリカード１２３に既に記録されている画像を再生する際には、ＨＤＤ１２２あるいはメモリカード１２３から読み出された画像が圧縮／伸長部１０８において伸長され、メモリコントローラ１０３を通じて、上述の画像表示処理部１０４に供給され、ＬＣＤ２２に表示される。
【００２９】
画像表示処理部１０４においては、図Ｘにより後段に詳述するが、メモリコントローラ１０３に接続されたメインメモリ（メモリ回路例えばＳＤＲＡＭ）１０９およびバッファ（ワーク）メモリ１１０とを用い、ＬＣＤ２２に表示させるさまざまな画像、例えば一覧のための複数の縮小画像等が生成される。また、生成された縮小画像等は、ＬＣＤ２２による表示に先立って、ＯＳＤ１０５により生成される「アイコン」や、動作の表示に利用されるさまざまな「マーク」と重ね合わせられる。なお、バッファ（ワーク）メモリ１１０には、メインメモリ１０９の記録領域の一部が割り当てられてもよい。
【００３０】
メインメモリ１０９およびバッファメモリ１１０は、例えば、画像データの縮小（サムネイル画像の作成）や詳述しないが編集モードにおける編集、画像ファイルの順番の入れ替え等に利用される。
【００３１】
また、バッファメモリ１１０は、１画面分の画像データあるいは複数画面分の画像データを保存することができる。なお、バッファメモリ１１０に保存されている画像データはメモリコントローラ１０３を介して画像表示処理部１０４に入力されるので、ＬＣＤ２２において、逐次再生（モニタ）可能である（画像編集時の状態を確認できる）。
【００３２】
カメラ装置１においてはまた、編集時あるいは撮影時には、音声入出力処理部１３１に接続されたマイク１３２あるいはオーディオ入力端（Audio In）により、音声／オーディオデータを取り込むことができる。音声データは、撮影された画像データと関連付けられて、ＨＤＤ１２２またはメモリカード１２３の所定の領域に記録される。
【００３３】
記録された音声データは、映像（画像）の再生時において、撮像した画像データと同時にＨＤＤ１２２またはメモリカード１２３から読み出され、音声出力として、スピーカ１３３またはオーディオ出力端（Audio Out）に出力される。もちろん、再生時において、スピーカ１３３から出力される音声は、消音（出力レベルを「０」と）することも可能である。
【００３４】
ところで、記録媒体であるＨＤＤ１２２においては、その容量から、静止画を記録可能な画像数および動画を記録する際の記録時間（タイトル数）は、数１００〜数１０００にも及ぶ。このため、記録画像やタイトルの送りや戻しには、高速性が要求される。
【００３５】
従って、ジョグダイアル２６とＯＫボタン２７により、多くの画像やタイトルの選択やさまざまなモードの設定が、ストレスなく処理可能である（多くの画像やタイトルを連続してサーチして特定する際に、ジョグダイアル２６のような操作性の高いスイッチが有益である）。また、ジョグダイアル２６により入力される内容（ユーザによる操作）、あるいはカメラ装置１の動作状態、もしくはメニューボタン２９によるメニュー画面の表示等は、上述したＣＰＵ１１１、メモリ回路１０９、画像表示処理部１０４、ビデオインタフェースおよびＯＳＤ処理部１０５等を介して合成され、ＬＣＤ２２に表示される。
【００３６】
なお、ＯＫ（決定）ボタン２７は、ＣＰＵ１１１に、ボタン２７が押された（オン／オフ信号が入力された）情報を与える。ＣＰＵ１１１は、その情報（ボタン２７）から入力されるオン／オフ信号に基づいて、ジョグダイアル２６により選択されている画像やタイトルあるいはモードを確定し、再生あるいはモードの設定等の処理を実行する。
【００３７】
ジョグダイアル２６は、ＣＰＵ（主制御装置）１１１に、その回転角と回転スピードの情報を与える。ＣＰＵ１１１は、それらの情報から（次の）画像の表示スピード等を制御することが可能である。
【００３８】
また、ＯＫ（決定）ボタン２７は、ジョグダイアル２６の回転中心に同軸（同心）状に位置される。なお、ＯＫ（決定）ボタン２７は、概ね中心（軸方向）に向けて力がかけられた（押された）場合は、上述のオン信号を入力可能で、円周上の円周を概ね４等分した４方向（一般に、「上下左右」と呼称される）のいずれかに力が加えられることで、例えばＬＣＤ２２に表示されている画像を、力が加えられている方向にスクロールさせる制御コマンド（指示）を入力させることができる。
【００３９】
次に本発明のカメラ装置における特徴的な構成及び画像データ処理方法を説明する。
【００４０】
例えば、図３（ａ）に示すように、画像再生中に、ＬＣＤ２２に再生対象画像（動画）の全体２２−３００が表示されている状態で（図３（ｂ）に抜き出して説明する）カメラ装置１のメニューボタン２９がオンされることで、ＬＣＤ２２に表示される画像は、図３（ｃ）に示すような、再生メニュー選択受付画面に切り替えられる。
【００４１】
図３（ｃ）に示すメニュー画面において、ジョグダイアル２６により、「サムネイル」が選択され（スクロールにより反転表示され）、ＯＫボタン２７がオンされることで、図４に示すように、複数の縮小画像が一覧表示されるサムネイル画面２２−４００が表示される。なお、このサムネイル画面においては、複数の縮小画像２２−４００［Ａ］〜２２−４００［Ｉ］とともに、現在表示されている縮小画像が、ＨＤＤ１２２あるいはメモリカード１２３に記録されている総ての画像のうちのどのあたりに記録されている画像であるかを示すスクロールバー２２−４００［Ｊ］が表示される。また、ＯＳＤ１０５により生成された選択カーソル２２−４００［Ｋ］（画像特定枠）が、いずれかの縮小画像２２−４００［Ａ］〜２２−４００［Ｉ］に重ね合わせて表示される。
【００４２】
このとき、選択カーソル２２−４００［Ｋ］が重ね合わせられる縮小画像は、例えば図４に示すように、３×３の９個の縮小画像が表示される場合には、その中央に２２−４００［Ｅ］として示される画像［Ｅ］であってもよいし、一般に先頭画像と呼ばれ、２２−４００［Ａ］として示される画像［Ａ］であってもよい。もちろん、一般に終端画像と呼ばれる画像［Ｉ］２２−４００［Ｉ］であってもよい。なお、縮小画像のうち、動画（非静止画）については、図示しないが、動画を示すマーク、例えば［move］等の表示が表示される。
【００４３】
ＯＫボタン２７により、「上下左右」のいずれかの方向への移動が指示（入力）されることで、選択カーソル２２−４００［ｋ］が移動される。
【００４４】
ところで、図４に示される縮小画像２２−４００［Ａ］〜２２−４００［Ｉ］は、静止画および動画に拘わりなく、表示される。従って、動画である場合には、通常、画像ファイルの先頭の画像である。従って、選択カーソル２２−４００［Ｋ］が重ね合わせられた画像が動画である場合は、図５を用いて説明する手順で、縮小画像のまま動画を表示することを特徴とする。
【００４５】
図５は、複数の縮小画像が表示されている状態で選択された縮小画像が動画である場合に、縮小画像を動画として再生するフローチャートである。
【００４６】
図３（ｂ）に抜き出して説明したメニューボタン２９を介してメニュー画面への移行が指示され、メニュー画面（図３（ｃ））において、サムネイル（の表示）が、選択されることで、処理ループが開始される。なお、ここでは、所定の時間内に任意の個数（枚数）の画像が連続して存在する「連写画像」についても、「動画」として表現する。
【００４７】
ＣＰＵ１１１により、ＯＫボタン２７（操作部）による「選択カーソル（図４における２２−４００［Ｋ］）」の移動指示入力が監視され（Ｓ５０１）、選択カーソルの移動が指示された場合（Ｓ５０１−Ｙｅｓ）には、（現在）動画が再生されているか否かがチェックされる（Ｓ５０２）。
【００４８】
ステップＳ５０２において、既に動画が再生されている場合（Ｓ５０２−Ｙｅｓ）は、動画の再生が中断され（Ｓ５０３）、選択カーソルが再び移動可能となる（Ｓ５０４）。
【００４９】
以下、メニューボタン２９がオンされた場合には、メニュー画面に戻される（Ｓ５０５−Ｙｅｓ）。
【００５０】
ステップＳ５０２において、動画が再生されていない場合（Ｓ５０２−Ｎｏ）には、選択カーソルが移動可能な状態（任意の縮小画像を特定する操作が可能な状態）が維持される（Ｓ５０４）。
【００５１】
選択カーソルが選択している画像が動画像の場合、時間のカウントを行ない、１秒間カーソルの移動がない場合には、現在選択しているカーソル枠内に動画像を縮小して再生を行なう。
【００５２】
選択カーソルの移動の指示がない（選択カーソルが移動されて任意の縮小画像で移動が停止）された場合（Ｓ５０１−Ｎｏ）は、選択された（選択カーソルが重ねられた）画像が動画であるか否かが判断（Ｓ５１１）され、静止画（動画以外）である場合には、入力待ちとなる（Ｓ５１１−Ｎｏ）。
【００５３】
ステップＳ５１１において選択された画像が動画である（Ｓ５１１−Ｙｅｓ）場合は、その動画が再生されているか否かがチェック（Ｓ５１２）され、再生中である場合（Ｓ５１２−Ｙｅｓ）には、その再生が継続される（Ｓ５１３）。
【００５４】
ステップＳ５１１において選択された画像が動画であって（Ｓ５１１−Ｙｅｓ）、その動画が再生されていない場合（Ｓ５１２−Ｎｏ）には、ＯＫボタン２７（操作部）による「選択カーソル」の移動が指示されるか否かが所定時間、チェックされる（Ｓ５２１）。例えば、「選択カーソル」の移動が『１秒間』指示されない場合（Ｓ５２１−Ｙｅｓ）、選択された画像の縮小画像（動画）が再生される（Ｓ５２２）。
【００５５】
なお、ステップＳ５２１において、「選択カーソル」の移動を、所定時間チェックすることは、選択カーソルを単に移動させようとしている（カーソル移動）途中の縮小画像に動画が含まれる場合に、そのつど「動画を再生するルーチン」を起動すると、非選択画像であった場合に、その処理が無駄になることから、若干の確定時間を持たせるために有益である。
【００５６】
次に、図５に示した複数の縮小画像のうちの選択された動画を再生可能とする制御系について説明する。
【００５７】
これを表示枚数分繰り返す事で、複数の画像表示が行える。
【００５８】
操作部より入力された操作スイッチ等の情報をＣＰＵが受け取り、それに応じて選択カーソルを移動させたり、１枚再生する画像を選択したりといった操作を行う。
【００５９】
図６は、図５に示した複数の縮小画像のうちの選択された動画を再生する構成と信号の流れを示す。なお、図２により既に説明した構成には同じ符号を付して、詳細な説明を省略する。図１と同一のものは同一符号を付けている。
【００６０】
先ず、［Ａ］において、ＨＤＤ１２２（あるいはメモリカード１２３）から出力されたＭＰＥＧ圧縮された再生ストリーミング信号は、ＳＤＲＡＭ（メインメモリ）１０９のマップ６０１上に転送される。
【００６１】
続いて、［Ｂ］および［Ｃ］において、圧縮／伸長部（ＭＰＥＧコーデック）１０８によりデータがデコードされ、ビデオ表示用のＹＵＶ信号に変換されて、ＳＤＲＡＭ１０９のマップ６０２上に、ＹＵＶ信号として転送される。
【００６２】
ＹＵＶ信号は、そのまま表示される場合は、ビデオインタフェースおよびＯＳＤ処理部１０５において、ＯＳＤ（ここでは図４の表示２２−４００［Ｋ］の枠に対応するデータ）を付加され、ビデオデコーダ１０６により、ビデオ信号に変換され、液晶パネル駆動回路１０７を介してＬＣＤ２２に表示される。なお、外部に接続された表示装置に表示される場合、ビデオ出力（Video Out）端に出力される信号が利用可能である。
【００６３】
また、選択された画像の縮小状態の動画の表示に用いるＹＵＶデータを生成するため、ＹＵＶ信号が画像表示処理回路１０４に入力される［Ｄ］。
【００６４】
なお、画像表示回路１０４は、画像の拡大や縮小（静止画および動画を複数の静止画が連続された状態として表示する）ために用いるエンジンであり、高速処理が可能である。また、画質を高めるために、既存技術であるバイリニア（Bi-liner）やバイキュービック（Bi-cubic）等の補間処理やフィルタリング処理が可能である。これは、もともと静止画の拡大、縮小に用いられているものがほとんどである。
【００６５】
画像表示処理回路１０４において、縮小された単独の静止画［Ｅ］や縮小された動画の表示に利用される複数の静止画を含むファイル［Ｆ］は、それぞれ、メインメモリ１０９のマップ６０３と６０４に、格納される。
【００６６】
すなわち、本発明における縮小画像からの動画表示は、要求のある毎に、「任意の動画から複数の静止画を縮小した画像」を、予め用意し、転送要求に従って順に転送（出力）するもので、シンプルかつ低コストである。なお、近年のハード構成（ＳＤＲＡＭ）の高速さ（処理速度の低減）によれば、標準的な大きさの画像サイズであれば、リアルタイムで処理できる。また、ＯＳＤ処理部１０５を介してＬＣＤ２２に表示されている縮小画像（動画または連続した複数の画像）すなわちサムネイル画像に対応するデータは、ＯＫボタン２７により「上下左右」への移動が指示（入力）されることにより、逐次、その選択対象の画像ファイルに移動されるとともに、対応する縮小された画像［Ｅ］，［Ｆ］が順次ＳＤＲＡＭ１０４のマップ６０３と６０４に格納される。
【００６７】
以下、上述の工程によりメインメモリ（ＳＤＲＡＭ）１０９のマップ６０３と６０４に用意された静止画［Ｅ］や縮小された動画の表示に利用される複数の静止画を含むファイル［Ｆ］は、ビデオインタフェースおよびＯＳＤ処理部１０５を介して重ね合わせられ、ビデオデコーダ１０６に出力される［Ｇ］。
【００６８】
なお、上述した縮小された動画の表示に利用される複数の静止画を含むファイルによる縮小画像における動画の表示（再生）は、ＳＤＲＡＭ（メインメモリ）１０９との間の画像データ転送が高速であることを利用したもので、上記のように簡単な方法で、容易に実現できることが特徴である。
【００６９】
また、逆再生や、高速順逆送り再生、ステップ再生、スロー再生等のトリック再生も、本発明の画像表示再生回路１０４における、ビデオ表示用のＹＵＶのマップに格納するまでの処理であるため、「任意の動画から複数の静止画を縮小した画像に関連付けられた」『逆再生』や、『高速順逆送り再生』、『ステップ再生』、『スロー再生』等のために、予め用意することで、容易に達成される。
【００７０】
なお、この発明は、上述した実施の形態に限定されるものではなく、その実施の段階ではその要旨を逸脱しない範囲で種々な変形もしくは変更が可能である。また、個々の実施の形態は、可能な限り適宜組み合わせて実施されてもよく、その場合、組み合わせによる効果が得られる。例えば、記録媒体としてテープ状の媒体を用いるビデオカメラであっても、そのまま摘要可能である。また、主記録媒体が容量の大きなメモリカードであって、付随する記録媒体が任意の外部記録媒体である、主として静止画の撮影（記録）のためのスチルカメラであってもよい。
【図面の簡単な説明】
【００７１】
【図１】この発明の実施の形態が適用可能な動画および静止画ならびに音声等が記録可能なカメラ装置の一例を示す概略図。
【図２】図１に示したカメラ装置の制御系の一例を説明する概略ブロック図。
【図３】図１および図２に示したカメラ装置において、複数の縮小画像を表示させる入力（操作）手順の一例を説明する概略図。
【図４】図１および図２に示したカメラ装置において、複数の縮小画像を表示させた状態から、任意の動画を「縮小状態」で再生させるための入力（操作）手順の一例を説明する概略図。
【図５】図４に示した複数の縮小画像を表示させた状態から、任意の動画を「縮小状態」で再生させるための制御系の動作の一例を説明するフローチャート。
【図６】図５に示した複数の縮小画像を表示させた状態から、任意の動画を「縮小状態」で再生させるための信号処理系の一例を説明する概略図。
【符号の説明】
【００７２】
１…電子カメラ装置（カメラ装置）、１１…撮像レンズ、２２…ＬＣＤ（液晶モニタ、画像表示部）、２４…主電源スイッチ、２５…録画ボタン、２６…ジョグダイアル（設定選択部）、２７…決定ボタン（選択決定部）、２８…ズームバー（拡大指示部）、２９…メニューボタン、３１…ＣＣＤセンサ（画像信号生成部）、１０１…アナログ−デジタル変換部（デジタル信号出力部）、１０２…カメラ信号処理回路（画像処理部）、１０３…メモリコントローラ、１０４…画像表示処理部（縮小画像保持部、画像表示制御部）、１０５…ビデオインタフェースおよびＯＳＤ処理部（信号処理部、画像表示制御部）、１０６…ビデオデコーダ（画像表示制御部）、１０７…液晶パネル駆動回路（画像表示制御部）、１０８…圧縮／伸長部（圧縮画像処理部、画像処理部）、１０９…メモリ回路（縮小画像保持部、画像表示制御部）、１１０…バッファ（ワーク）メモリ、１１１…ＣＰＵ（主制御部、信号処理部、画像表示制御部）、１２１…記録メディアコントローラ、１２２…ＨＤＤ（ハードディスク装置、記録媒体）、１２３…メモリカード（半導体メモリ、記録媒体）、１２２…ＨＤＤ（ハードディスク装置、記録媒体）、１２３…メモリカード（半導体メモリ、記録媒体）。
【図１】
2006287596.tif 000003
【図２】
2006287596.tif 000004
【図３】
2006287596.tif 000005
【図４】
2006287596.tif 000006
【図５】
2006287596.tif 000007
【図６】
2006287596.tif 000008